(57)【要約】【課題】大型かつ高精細であり、さらに、消費電力の増大を抑えながら、表示画面全体にわたって安定した書き込み放電が可能な、プラズマディスプレイパネルを提供する。【解決手段】発光を制御する光の色が赤であるデータ電極の幅は、パネルの内側部のデータ電極では、その中央部で９０μｍ±１０μｍであり、テーパー部よりも両端側では１００μｍ±１０μｍとする。発光を制御する光の色が赤であるデータ電極の幅は、パネルの外側部に配置されたデータ電極では全体にわたって１００μｍ±１０μｍとする。発光を制御する光の色が青および緑であるデータ電極の幅は、パネルの内側部のデータ電極では、その中央部で１００μｍ±１０μｍであり、テーパー部よりも両端側では１３０μｍ±１０μｍとする。発光を制御する光の色が青および緑であるデータ電極の幅は、パネルの外側部に配置されたデータ電極では全体にわたって１３０μｍ±１０μｍとする。【選択図】図６
2007165123.tif 000002
【特許請求の範囲】
【請求項１】
第１の基板上に互いに平行に配置した走査電極と維持電極とからなる複数対の表示電極と、
前記第１の基板に放電空間を挟んで対向配置された第２の基板上に前記表示電極と直交する方向に配置した複数のデータ電極とを、
備えたプラズマディスプレイパネルであって、
前記データ電極の電極幅は、前記プラズマディスプレイパネルの外側部において、前記プラズマディスプレイパネルの内側部よりも広く、
前記データ電極の電極幅は、各データ電極によって発光が制御される光の色によって異なる、
プラズマディスプレイパネル。
【請求項２】
第１の基板上に互いに平行に配置した走査電極と維持電極とからなる複数対の表示電極と、
前記第１の基板に放電空間を挟んで対向配置された第２の基板上に前記表示電極と直交する方向に配置した複数のデータ電極とを備えたプラズマディスプレイパネルであって、
前記データ電極の電極幅は、それぞれの電極の中央部では一定で、前記中央部の両端側には両端方向に向かって電極幅が段階的に広くなるテーパー部を有し、前記テーパー部よりもさらに両端側では一定であり、
前記データ電極の電極幅は、各データ電極によって発光が制御される光の色によって異なる、
プラズマディスプレイパネル。
【請求項３】
第１の基板上に互いに平行に配置した走査電極と維持電極とからなる複数対の表示電極と、
前記第１の基板に放電空間を挟んで対向配置された第２の基板上に前記表示電極と直交する方向に配置した複数のデータ電極とを備えたプラズマディスプレイパネルであって、
前記データ電極の電極幅は、前記プラズマディスプレイパネルの内側部に配置されているものは一定で、外側部に配置されているものは前記プラズマディスプレイパネルの両外側方向に向かって段階的に広くなり、前記プラズマディスプレイパネルのさらに両外側に配置されているものは前記広くなった状態で一定であり、
前記データ電極の電極幅は、各データ電極によって発光が制御される光の色によって異なる、
プラズマディスプレイパネル。
【請求項４】
第１の基板上に互いに平行に配置した走査電極と維持電極とからなる複数対の表示電極と、
前記第１の基板に放電空間を挟んで対向配置された第２の基板上に前記表示電極と直交する方向に配置した複数のデータ電極とを備えたプラズマディスプレイパネルであって、
前記データ電極の電極幅は、前記プラズマディスプレイパネルの内側部に配置されているものは一定で、外側部に配置されているものは前記プラズマディスプレイパネルの両外側方向に向かって電極幅が各電極の前記中央部とテーパー部において段階的に広くなり、前記プラズマディスプレイパネルのさらに両外側に配置されているものは前記広くなった状態で一定であり、
前記データ電極の電極幅は、各データ電極によって発光が制御される光の色によって異なる、
請求項２に記載のプラズマディスプレイパネル。
【請求項５】
前記データ電極の電極幅は、発光を制御する光の色が青と緑のデータ電極においては同じであり、発光を制御する光の色が赤のデータ電極においては、前記発光を制御する光の色が青と緑のデータ電極よりも狭い、
請求項１から請求項４の何れか１項に記載のプラズマディスプレイパネル。
【請求項６】
前記発光を制御する光の色が赤であるデータ電極の電極幅は、プラズマディスプレイパネルの内側部に配置されたデータ電極においては、電極幅が一定であるそれぞれのデータ電極の前記中央部では９０μｍ±１０μｍであり、前記テーパー部よりもさらに両端側では１００μｍ±１０μｍであり、
前記発光を制御する光の色が赤であるデータ電極の電極幅は、プラズマディスプレイパネルの外側部に配置されたデータ電極においては、それぞれのデータ電極の全体にわたって１００μｍ±１０μｍであり、
前記発光を制御する光の色が青および緑であるデータ電極の電極幅は、プラズマディスプレイパネルの内側部に配置されたデータ電極においては、電極幅が一定であるそれぞれのデータ電極の前記中央部では１００μｍ±１０μｍであり、前記テーパー部よりもさらに両端側では１３０μｍ±１０μｍであり、
前記発光を制御する光の色が青および緑であるデータ電極の電極幅は、プラズマディスプレイパネルの外側部に配置されたデータ電極においては、それぞれのデータ電極の全体にわたって１３０μｍ±１０μｍである、
請求項４に記載のプラズマディスプレイパネル。
【請求項７】
前記プラズマディスプレイパネルの内側部に配置されており、その電極幅が一定であるデータ電極は、データ電極全体の８５．０〜９９．４％であり、
前記電極幅が一定であるデータ電極よりも外側部に配置されており、プラズマディスプレイパネルの両外側方向に向かってその電極幅が段階的に広くなるデータ電極は、データ電極全体の０．３〜５．０％であり、
前記プラズマディスプレイパネルのさらに両外側に配置されており、その電極幅が広くなった状態で一定であるデータ電極は、データ電極全体の０．３〜１０．０％である、
請求項３に記載のプラズマディスプレイパネル。
【請求項８】
前記プラズマディスプレイパネルの内側部に配置されており、その電極幅が一定であるデータ電極は、その発光を制御する色が赤・青・緑であるものそれぞれについて、１２６６〜１３５８本であり、
前記電極幅が一定であるデータ電極よりも外側部に配置されており、プラズマディスプレイパネルの両外側方向に向かってその電極幅が段階的に広くなるデータ電極は、その発光を制御する色が赤・青・緑であるものそれぞれについて、４〜４０本であり、
前記プラズマディスプレイパネルのさらに両外側に配置されており、その電極幅が広くなった状態で一定であるデータ電極は、その発光を制御する色が赤・青・緑であるものそれぞれについて、４〜６０本である、
請求項３に記載のプラズマディスプレイパネル。
【請求項９】
第１の基板上に互いに平行に配置した走査電極と維持電極とからなる複数対の表示電極と、
前記第１の基板に放電空間を挟んで対向配置された第２の基板上に前記表示電極と直交する方向に配置した複数のデータ電極とを備えたプラズマディスプレイパネルであって、
前記データ電極の電極幅は、それぞれの電極の中央部では一定で、前記中央部の両端側には両端方向に向かって電極幅が各電極の前記中央部とテーパー部において段階的に広くなるテーパー部を有し、前記テーパー部よりもさらに両端側では一定であり、
前記テーパー部の長さは２０ｍｍ±１０ｍｍであり、
前記テーパー部よりもさらに両端側で幅が一定の部分の長さは３０ｍｍ±１０ｍｍであり、
前記データ電極の電極幅は、各データ電極によって発光が制御される光の色によって異なる、
請求項４から請求項６の何れか１項に記載のプラズマディスプレイパネル。
【請求項１０】
第１の基板上に互いに平行に配置した走査電極と維持電極とからなる複数対の表示電極と、
前記第１の基板に放電空間を挟んで対向配置された第２の基板上に前記表示電極と直交する方向に配置した複数のデータ電極とを備えたプラズマディスプレイパネルであって、
前記データ電極の電極幅は、それぞれの電極の中央部では一定で、前記中央部の両端側には両端方向に向かって電極幅が各電極の前記中央部とテーパー部において段階的に広くなるテーパー部を有し、前記テーパー部よりもさらに両端側では一定であり、
前記テーパー部の長さは前記データ電極の長さの３％±２％であり、
前記テーパー部よりもさらに両端側で幅が一定の部分の長さは５％±２％であり、
前記データ電極の電極幅は、各データ電極によって発光が制御される光の色によって異なる、
請求項４から請求項６の何れか１項に記載のプラズマディスプレイパネル。
【発明の詳細な説明】
【技術分野】
【０００１】
本特許出願に係る発明（以後、「本発明」という）は、平面型表示装置の１つであるプラズマディスプレイ装置等に用いられるプラズマディスプレイパネル（以後、「パネル」という）に関するものである。
【背景技術】
【０００２】
パネルとしての代表的な形態の１つである交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、即ち１フィールド期間を複数のサブフィールドに分割した上で、発光させるサブフィールドの組み合わせによって階調表示を行う方法が一般的である。各サブフィールドはそれぞれ初期化期間、書き込み期間および維持期間を有する。初期化期間は放電セルで初期化放電を行い、それ以前の個々の放電セルに対する壁電荷の履歴を消すとともに、続く書き込み動作のために必要な壁電荷を形成する。続く書き込み期間では、走査電極に走査パルスを順次印加するとともに、データ電極には表示するべき画像信号に対応した書き込みパルスを印加し、走査電極とデータ電極との間で選択的に書き込み放電を起こし、選択的な壁電荷形成を行う。そして維持期間では、走査電極と維持電極との間に輝度重みに応じた所定の回数の維持パルスを印加し、書き込み放電による壁電荷形成を行った放電セルを選択的に放電させて発光させる。
【０００４】
ここで、画像を正しく表示するためには書き込み期間における選択的な書き込み放電を確実に行うことが重要であるが、書き込み放電に関しては、各電極の寸法精度の影響を受けやすいこと、データ電極上に形成された蛍光体層が放電を起こり難くしていること等、放電を不安定にする要因が多い。これらの問題点に対し、例えば特許文献１には、データ電極形状を工夫して短時間で確実に書き込み動作を行い、電力消費の少ないパネルの一例が開示されている。
【特許文献１】特開２０００−１００３３８号公報
【発明の開示】
【発明が解決しようとする課題】
【０００５】
しかしながら、今後はパネルの大型化が進むと同時に高精細化も進み、パネル全面にわたって精度良く放電セルを製作することがますます難しくなっている。そして、上述した従来の技術においては、各電極の寸法精度の影響を大きく受けることなく放電を安定にするデータ電極形状に設計すると消費電力が増大し、逆に消費電力が増大しない程度のデータ電極形状とすると電極の寸法精度の影響を受け放電が不安定になるといった問題点があった。
【０００６】
本発明はこれらの課題に鑑みなされたものであり、大型でかつ高精細のパネルであっても、消費電力の増大を抑えながら、かつ、表示画面全面にわたって安定した書き込み放電が可能なパネルを提供することを目的とする。
【課題を解決するための手段】
【０００７】
本特許出願に係る請求項１に記載のプラズマディスプレイパネルは、
第１の基板上に互いに平行に配置した走査電極と維持電極とからなる複数対の表示電極と、
第１の基板に放電空間を挟んで対向配置された第２の基板上に表示電極と直交する方向に配置した複数のデータ電極とを、
備えたプラズマディスプレイパネルであって、
データ電極の電極幅は、プラズマディスプレイパネルの外側部において、プラズマディスプレイパネルの内側部よりも広く、
データ電極の電極幅は、各データ電極によって発光が制御される光の色によって異なる。
【０００８】
このような構成によって、データ電極に加える電圧を均一にすることで画面全体の消費電力を抑えながら、なおかつ不放電による画素の欠落が発生するのを防止することができる。
【０００９】
本特許出願に係る請求項２に記載のプラズマディスプレイパネルは、
第１の基板上に互いに平行に配置した走査電極と維持電極とからなる複数対の表示電極と、
第１の基板に放電空間を挟んで対向配置された第２の基板上に表示電極と直交する方向に配置した複数のデータ電極とを備えたプラズマディスプレイパネルであって、
データ電極の電極幅は、それぞれの電極の中央部では一定で、中央部の両端側には両端方向に向かって電極幅が段階的に広くなるテーパー部を有し、テーパー部よりもさらに両端側では一定であり、
データ電極の電極幅は、各データ電極によって発光が制御される光の色によって異なる。
【００１０】
このような構成によって、データ電極に加える電圧を均一にすることで画面全体の消費電力を抑えながら、なおかつ不放電による画素の欠落が発生するのを防止することができる。さらにその上、放電特性が段階的に変化するため、表示画面中に不連続な変化を生じることもない。
【００１１】
本特許出願に係る請求項３に記載のプラズマディスプレイパネルは、
第１の基板上に互いに平行に配置した走査電極と維持電極とからなる複数対の表示電極と、
第１の基板に放電空間を挟んで対向配置された第２の基板上に表示電極と直交する方向に配置した複数のデータ電極とを備えたプラズマディスプレイパネルであって、
データ電極の電極幅は、プラズマディスプレイパネルの内側部に配置されているものは一定で、外側部に配置されているものはプラズマディスプレイパネルの両外側方向に向かって段階的に広くなり、プラズマディスプレイパネルのさらに両外側に配置されているものは広くなった状態で一定であり、
データ電極の電極幅は、各データ電極によって発光が制御される光の色によって異なる。
【００１２】
このような構成によってもまた、データ電極に加える電圧を均一にすることで画面全体の消費電力を抑えながら、なおかつ不放電による画素の欠落が発生するのを防止することができる。
【００１３】
本特許出願に係る請求項４に記載のプラズマディスプレイパネルは、
第１の基板上に互いに平行に配置した走査電極と維持電極とからなる複数対の表示電極と、
第１の基板に放電空間を挟んで対向配置された第２の基板上に表示電極と直交する方向に配置した複数のデータ電極とを備えたプラズマディスプレイパネルであって、
データ電極の電極幅は、プラズマディスプレイパネルの内側部に配置されているものは一定で、外側部に配置されているものはプラズマディスプレイパネルの両外側方向に向かって電極幅が各電極の中央部とテーパー部において段階的に広くなり、プラズマディスプレイパネルのさらに両外側に配置されているものは広くなった状態で一定であり、
データ電極の電極幅は、各データ電極によって発光が制御される光の色によって異なる。
【００１４】
このような構成によってもまた、データ電極に加える電圧を均一にすることで画面全体の消費電力を抑えながら、なおかつ不放電による画素の欠落が発生するのを防止することができる。さらにその上、放電特性が段階的に変化するため、表示画面中に不連続な変化を生じることもない。
【００１５】
本特許出願に係る請求項５に記載のプラズマディスプレイパネルは、
データ電極の電極幅は、発光を制御する光の色が青と緑のデータ電極においては同じであり、発光を制御する光の色が赤のデータ電極においては、発光を制御する光の色が青と緑のデータ電極よりも狭い。
【００１６】
このような構成によって、データ電極に加える電圧を均一にすることで画面全体の消費電力を抑えながら、特に放電特性が異なる赤色画素の特性を改善することができる。
【００１７】
本特許出願に係る請求項６に記載のプラズマディスプレイパネルは、
発光を制御する光の色が赤であるデータ電極の電極幅は、プラズマディスプレイパネルの内側部に配置されたデータ電極においては、電極幅が一定であるそれぞれのデータ電極の中央部では９０μｍ±１０μｍであり、テーパー部よりもさらに両端側では１００μｍ±１０μｍであり、
発光を制御する光の色が赤であるデータ電極の電極幅は、プラズマディスプレイパネルの外側部に配置されたデータ電極においては全体にわたって１００μｍ±１０μｍであり、
発光を制御する光の色が青および緑であるデータ電極の電極幅は、プラズマディスプレイパネルの内側部に配置されたデータ電極においては、電極幅が一定であるそれぞれのデータ電極の中央部では１００μｍ±１０μｍであり、テーパー部よりもさらに両端側では１３０μｍ±１０μｍであり、
発光を制御する光の色が青および緑であるデータ電極の電極幅は、プラズマディスプレイパネルの外側部に配置されたデータ電極においては全体にわたって１３０μｍ±１０μｍである。
【００１８】
このような構成によって、特に有効に、データ電極に加える電圧を均一にすることで画面全体の消費電力を抑えながら、なおかつ不放電による画素の欠落が発生するのを防止することができる。
【００１９】
本特許出願に係る請求項７に記載のプラズマディスプレイパネルは、
プラズマディスプレイパネルの内側部に配置されており、その電極幅が一定であるデータ電極は、データ電極全体の８５．０〜９９．４％であり、
電極幅が一定であるデータ電極よりも外側部に配置されており、プラズマディスプレイパネルの両外側方向に向かってその電極幅が段階的に広くなるデータ電極は、データ電極全体の０．３〜５．０％であり、
プラズマディスプレイパネルのさらに両外側に配置されており、その電極幅が広くなった状態で一定であるデータ電極は、データ電極全体の０．３〜１０．０％である。
【００２０】
このような構成によってもまた、特に有効に、データ電極に加える電圧を均一にすることで画面全体の消費電力を抑えながら、なおかつ不放電による画素の欠落が発生するのを防止することができる。
【００２１】
本特許出願に係る請求項８に記載のプラズマディスプレイパネルは、
プラズマディスプレイパネルの内側部に配置されており、その電極幅が一定であるデータ電極は、その発光を制御する色が赤・青・緑であるものそれぞれについて、１２６６〜１３５８本であり、
電極幅が一定であるデータ電極よりも外側部に配置されており、プラズマディスプレイパネルの両外側方向に向かってその電極幅が段階的に広くなるデータ電極は、その発光を制御する色が赤・青・緑であるものそれぞれについて、４〜４０本であり、
プラズマディスプレイパネルのさらに両外側に配置されており、その電極幅が広くなった状態で一定であるデータ電極は、その発光を制御する色が赤・青・緑であるものそれぞれについて、４〜６０本である。
【００２２】
このような構成によってもまた、特に有効に、データ電極に加える電圧を均一にすることで画面全体の消費電力を抑えながら、なおかつ不放電による画素の欠落が発生するのを防止することができる。
【００２３】
本特許出願に係る請求項９に記載のプラズマディスプレイパネルは、
第１の基板上に互いに平行に配置した走査電極と維持電極とからなる複数対の表示電極と、
第１の基板に放電空間を挟んで対向配置された第２の基板上に表示電極と直交する方向に配置した複数のデータ電極とを備えたプラズマディスプレイパネルであって、
データ電極の電極幅は、それぞれの電極の中央部では一定で、中央部の両端側には両端方向に向かって電極幅が各電極の中央部とテーパー部において段階的に広くなるテーパー部を有し、テーパー部よりもさらに両端側では一定であり、
テーパー部の長さは２０ｍｍ±１０ｍｍであり、
テーパー部よりもさらに両端側で幅が一定の部分の長さは３０ｍｍ±１０ｍｍであり、
データ電極の電極幅は、各データ電極によって発光が制御される光の色によって異なる。
【００２４】
このような構成によってもまた、特に有効に、データ電極に加える電圧を均一にすることで画面全体の消費電力を抑えながら、なおかつ不放電による画素の欠落が発生するのを防止することができる。
【００２５】
本特許出願に係る請求項１０に記載のプラズマディスプレイパネルは、
第１の基板上に互いに平行に配置した走査電極と維持電極とからなる複数対の表示電極と、
第１の基板に放電空間を挟んで対向配置された第２の基板上に表示電極と直交する方向に配置した複数のデータ電極とを備えたプラズマディスプレイパネルであって、
データ電極の電極幅は、それぞれの電極の中央部では一定で、中央部の両端側には両端方向に向かって電極幅が各電極の中央部とテーパー部において段階的に広くなるテーパー部を有し、テーパー部よりもさらに両端側では一定であり、
テーパー部の長さはデータ電極の長さの３％±２％であり、
テーパー部よりもさらに両端側で幅が一定の部分の長さは５％±２％であり、
データ電極の電極幅は、各データ電極によって発光が制御される光の色によって異なる。
【００２６】
このような構成によってもまた、特に有効に、データ電極に加える電圧を均一にすることで画面全体の消費電力を抑えながら、なおかつ不放電による画素の欠落が発生するのを防止することができる。
【発明の効果】
【００２７】
本発明によれば、大型でかつ高精細なパネルであり、さらに、消費電力の増大を抑えながら、表示画面全面にわたって安定した書き込み放電が可能なパネルを提供することが可能となる。
【発明を実施するための最良の形態】
【００２８】
（第１の実施の形態）
以下に、本発明の第１の実施の形態について、図面を参照しながら説明をする。
【００２９】
図１は、本発明の第１の実施の形態におけるパネルの構造を示す分解斜視図である。第１の基板である前面ガラス基板１０５上には表示電極としての走査電極１０２および維持電極１０３をそれぞれ構成する透明電極１０２ａ、１０３ａが形成され、その上に補助電極１０２ｂ、１０３ｂが形成されている。そして、透明電極１０２ａ、１０３ａ、補助電極１０２ｂ、１０３ｂを覆うように前面ガラス基板１０５上に誘電体層１０６が形成されている。
【００３０】
この誘電体層１０６は、例えばガラスペーストをダイコート法等を用いて塗布した後、焼成して形成することができる。そして、誘電体層１０６上に保護層１０７を形成する。保護層１０７は、例えば酸化マグネシウムを真空蒸着法等による、成膜プロセスを用いて形成することができる。このようにして前面板１０１は、前面ガラス基板１０５上に走査電極１０２、維持電極１０３、誘電体層１０６、保護層１０７が形成されて、構成されている。
【００３１】
第２の基板である背面ガラス基板１０８上には、データ電極１１０がストライプ状に形成されている。なお、データ電極１１０の形状の詳細については後述する。
【００３２】
データ電極１１０は、例えば感光性Ａｇペーストをスクリーン印刷法等により塗布した後、フォトリソグラフィー法等によってパターニングし、焼成することによって形成することができる。
【００３３】
データ電極１１０を覆うように、下地誘電体層１０９が形成されている。下地誘電体層１０９は、例えばガラスペーストをスクリーン印刷で塗布した後、焼成することによって形成することができる。そして、ストライプ状あるいは井桁状の隔壁１１１が、下地誘電体層１０９の上に形成されている。
【００３４】
隔壁１１１は、例えばＡｌ２Ｏ３等の骨材とガラスフリットとを主剤とする感光性ペーストを、スクリーン印刷法やダイコート法等によって成膜し、フォトリソグラフィー法によりパターニングし、焼成することで形成することができる。あるいは、ガラス材料を含むペーストをスクリーン印刷法等によって所定のピッチで繰り返し塗布した後、焼成することで形成してもよい。
【００３５】
隔壁１１１間に形成される溝には、緑色、赤色、青色のそれぞれに発光する蛍光体層１１２が形成されている。これは、例えば蛍光体粒子と有機バインダとを含む蛍光体インキを塗布した後、焼成することによって形成することができる。
【００３６】
従って、１つ１つのデータ電極１１０は、それぞれ緑色、赤色、青色の何れかの発光を制御することになり、この、緑色、赤色、青色を制御するデータ電極１１０が、この順に繰り返し配置されている。但し、この順は一例であって、必ずしもこの順ではなくても構わない。
【００３７】
このようにして背面板１０４は、背面ガラス基板１０８上に各色の発光を制御するデータ電極１１０、下地誘電体層１０９、隔壁１１１、蛍光体層１１２が形成されて、構成されている。
【００３８】
背面板１０４の周辺部に低融点ガラスフリットを塗布して乾燥させ、この背面板１０４と前面板１０１とを対向配置して、加熱処理を行い封着する。
【００３９】
前面板１０１と背面板１０４との間に形成される放電空間１１４を高真空に排気した後、ネオン、キセノン等の放電ガスを封入することで、パネル１００が完成する。
【００４０】
図２はパネル１００の電極配列図である。列方向にｍ列のデータ電極１１０が配列され、行方向にｎ行の走査電極１０２とｎ行の維持電極１０３とが交互に配列されている。
【００４１】
そして、１対の走査電極、維持電極と１つのデータ電極とを含む放電セル１１５が、放電空間１１４内にｍ×ｎ個形成されている。なお、パネル１００が５０インチ・ワイドＸＧＡタイプ（１３６６×７６８画素）のパネル１００の場合、ｍ＝１３６６×３（赤・青・緑の３色）であり、ｎ＝７６８である。
【００４２】
次に、パネル１００を駆動するための駆動電圧波形と、そのタイミングについて説明する。なお本実施の形態においては、１フィールド期間が初期化期間、書き込み期間、維持期間を有する複数のサブフィールドから構成されているとして説明するが、他のサブフィールド構成であっても構わない。
【００４３】
図３は、パネル１００の各電極に印加する駆動電圧の波形図である。初期化期間では、データ電極１１０および維持電極１０３を接地電位に保持し、走査電極１０２には、緩やかに上昇するランプ波形電圧を印加する。その後、維持電極１０３を正電圧に保ち、走査電極１０２に、緩やかに下降するランプ波形電圧を印加する。この間に、放電セル１１５では２回の微弱な初期化放電が起こり、走査電極１０２上の壁電圧および維持電極１０３上の壁電圧が低下される。
【００４４】
また、データ電極１１０上には、書き込み動作に適した正の壁電圧Ｖｗが蓄積される。ここで、電極上の壁電圧とは、電極を覆う下地誘電体層１０９や蛍光体層１１２上に蓄積された壁電荷によって生じる電圧をいう。以上によって、それ以前の個々の放電セルに対する壁電圧の履歴を消去するとともに、続く書き込み放電に必要な壁電圧を形成する初期化動作が終了する。
【００４５】
書き込み期間では、表示するべき放電セル１１５に対応するデータ電極１１０に、正の書き込みパルス電圧Ｖｄを印加するとともに、対応する走査電極１０２に負の走査パルス電圧Ｖａを印加する。これによって、書き込みパルス電圧Ｖｄと走査パルス電圧Ｖａとを同時に印加した放電セル１１５のデータ電極１１０上部と走査電極１０２上部との交差部における電圧差は、書き込みパルス電圧Ｖｄ、走査パルス電圧Ｖａのそれぞれの絶対値の和に、データ電極１１０上部の正の壁電圧Ｖｗが加算されたものとなり、放電開始電圧を超えることになる。すると、データ電極１１０と走査電極１０２との間で放電が発生し、維持電極１０３と走査電極１０２との間の放電に進展する。その結果、走査電極１０２上に正の壁電圧が蓄積され、維持電極１０３上およびデータ電極１１０上に負の壁電圧が蓄積される。一方、書き込みパルス電圧Ｖｄと走査パルス電圧Ｖａとを同時に印加しなかった放電セル１１５では、書き込み放電が発生することはない。このような書き込み動作を全ての放電セル１１５で行い、書き込み期間が終了する。
【００４６】
維持期間においては、走査電極１０２と維持電極１０３とに正の維持パルス電圧Ｖｓを交互に印加することにより、書き込み放電が発生した放電セル１１５に対して、輝度による重み付けに対応した回数だけ、維持放電が継続して実行される。一方、書き込み放電が発生しなかった放電セル１１５では、維持放電は発生しない。
【００４７】
以降のサブフィールドにおいても、同様の動作を継続して実行する。
【００４８】
次に、背面ガラス基板１０８上に形成されるデータ電極１１０の詳細な形状について説明をする。
【００４９】
図４に、本実施の形態におけるパネル１００を構成するデータ電極１１０の配置の概略を示す。
【００５０】
パネル１００は、大きく、破線で示す四角形よりも外側の周囲部分と、破線で示す四角形よりも内側の、その周囲部分によって囲まれる内側部分とに分けられる。この内側部分が表示領域１００ａで、本実施の形態に係るプラズマディスプレイ装置が映像を表示するのはこの表示領域１００ａであり、通常、プラズマディスプレイ装置のサイズを「何インチ」のように呼称することがあるのは、この表示領域１００ａの対角線の長さである。
【００５１】
この表示領域１００ａの外側には、非表示領域１００ｂが存在する。この非表示領域１００ｂにもデータ電極１１０は存在し、その他、データ電極１１０と結線するための引き出し線等も存在する。しかしながら、本発明の本質と直接関連するのは、表示領域１００ａであるので、以降は、この表示領域１００ａについてのみ説明をする。
【００５２】
従って、以降の説明は、表示領域１００ａの中のデータ電極１１０に関するものである。
【００５３】
一例として、パネル１００が、５０インチ・ワイドＸＧＡタイプ（１３６６×７６８画素）のパネル１００であると仮定する。このパネル１００では、表示画素数が横ｍ＝１３６６であり、縦ｎ＝７６８である。そして、データ電極１１０は、縦方向に配線され、このデータ電極１１０が左右方向に画素数１３６６×３本（赤青緑の各色用）用意されている。緑の発光を制御するためのデータ電極１１０をデータ電極１２１と呼び、赤の発光を制御するためのデータ電極１１０をデータ電極１２２と呼び、青の発光を制御するためのデータ電極１１０をデータ電極１２３と呼ぶ。この３つのデータ電極１１０で、１つの画素が構成され、この３つのデータ電極１１０の組が、横方向の画素数（１３６６）だけ用意されている。
【００５４】
なお、このパネル１００の大きさ、タイプ、画素数、配線方向、データ電極数等々は、具体的な説明のための一例に過ぎず、本発明がこれらに限るものではない（本明細書での説明全てについて、同様である。）。
【００５５】
この、左右方向に画素数１３６６×３本用意されたデータ電極１１０は、図４に示すように、大きく、Ｘ領域、Ｙ領域、Ｚ領域に分けることができる。
【００５６】
Ｘ領域は、パネル１００の内側部に位置し、この領域では各データ電極１１０の幅は一定である。但し、発光を制御する色に対応して、データ電極１１０の幅とその形状は異なっている。これについては、後で詳細に説明をする。
【００５７】
なお、本明細書では、パネル１００に関してその内部部分と外周部部分とを、「内側（部）」および「外側（部）」と呼び、１本１本のそれぞれのデータ電極１１０については、その内部部分を端の部分とを、「中央（部）」および「両端（部／側）」と呼んで、区別をする。
【００５８】
Ｙ領域は、Ｘ領域の左右・両外側に位置し、この領域では、各データ電極の幅は段階的に、徐々に広くなる。また、この段階的に広くなる様子は、後述するそれぞれのデータ電極１１０のＬ領域、Ｍ領域、Ｎ領域でも異なり、発光を制御する色に対応しても異なっている。これについても、後で詳細に説明をする。
【００５９】
Ｚ領域は、Ｙ領域のさらに左右・両外側に位置し、パネル１００の最も外側に位置している。この領域では、各データ電極の幅は再度一定となる。但し、発光を制御する色に対応して、データ電極１１０の幅とその形状は異なっている。これについては、後で詳細に説明をする。
【００６０】
１本１本のそれぞれのデータ電極１１０は、図４に示すように、大きく、Ｌ領域、Ｍ領域、Ｎ領域に分けることができる。
【００６１】
Ｌ領域は、データ電極１１０の中央部に位置し、この領域ではデータ電極１１０の幅は一定である。但し、発光を制御する色に対応して、データ電極１１０の幅は異なっている。これについては、後で詳細に説明をする。
【００６２】
Ｍ領域は、Ｌ領域の上下・両端側に位置し、この領域では、データ電極の幅は段階的に、徐々に広くなる。また、この段階的に広くなる様子は、それぞれのデータ電極１１０が存在するＸ領域、Ｙ領域、Ｚ領域でも異なり、発光を制御する色に対応しても異なっている。これについても、後で詳細に説明をする。
【００６３】
Ｎ領域は、Ｍ領域のさらに上下・両端側に位置し、データ電極１１０の最も両端側に位置している。この領域では、各データ電極の幅は再度一定となる。但し、発光を制御する色に対応して、データ電極１１０の幅は異なっている。これについては、後で詳細に説明をする。
【００６４】
なお、図４に示すパネル１００の形状、データ電極１１０の数と形状、配置、構造その他は概略を模式的に示すものであって、本発明がこの形状や配置、構造等に限られるものではない。
【００６５】
例えば、Ｘ領域に含まれるデータ電極１１０の数を、データ電極全体の８５．０〜９９．４％とし、Ｙ領域に含まれるデータ電極１１０の数を、データ電極全体の０．３〜５．０％とし、Ｚ領域に含まれるデータ電極の数を、データ電極全体の０．３〜１０．０％とすることができる。但し、本発明がこの範囲に限るものではない。
【００６６】
あるいは、例えば、Ｘ領域に含まれるデータ電極１１０の数を、データ電極全体の９５〜９８％とし、Ｙ領域に含まれるデータ電極１１０の数を、データ電極全体の１〜２％とし、Ｚ領域に含まれるデータ電極の数を、データ電極全体の１〜３％としても構わない。但し、本発明がこの範囲に限るものではない。
【００６７】
また、例えば、Ｘ領域に含まれるデータ電極１１０の数を、その発光を制御する色が赤・青・緑であるものそれぞれについて１２６６〜１３５８本とし、Ｙ領域に含まれるデータ電極１１０の数を、その発光を制御する色が赤・青・緑であるものそれぞれについて４〜４０本とし、Ｚ領域に含まれるデータ電極の数を、その発光を制御する色が赤・青・緑であるものそれぞれについて４〜６０本とすることができる。但し、本発明がこの範囲に限るものではない。
【００６８】
あるいは、例えば、Ｘ領域に含まれるデータ電極１１０の数を、その発光を制御する色が赤・青・緑であるものそれぞれについて１２９６〜１３３６本とし、Ｙ領域に含まれるデータ電極１１０の数を、その発光を制御する色が赤・青・緑であるものそれぞれについて１０〜３０本とし、Ｚ領域に含まれるデータ電極の数を、その発光を制御する色が赤・青・緑であるものそれぞれについて２０〜４０本としても構わない。但し、本発明がこの範囲に限るものではない。
【００６９】
次に、上記概略を説明したデータ電極１１０の幅について、より詳細に説明するため、パネル１００の内側部（Ｘ領域）の上端から下方向のＮ領域、Ｍ領域、Ｌ領域に含まれるデータ電極１１０の一部を拡大した図を、図５に示す。
【００７０】
図５は、パネル１００の内側部（Ｘ領域）の上端から下方向のＮ領域、Ｍ領域、Ｌ領域を示しているので、図５の上部に示す横両方向矢印の破線がパネル１００の表示領域１００ａと非表示領域１００ｂとの境界である。この境界線よりも下が、パネル１００の表示領域１００ａであり、この境界線よりも上が、図示していないが、パネル１００の非表示領域１００ｂである。
【００７１】
非表示領域１００ｂにもデータ電極１１０は延長されており、引き出し線や制御回路等との結線部として使われるが、この非表示領域１００ｂにおけるデータ電極１１０は、本発明とは直接関係しないので、簡略化のため図示を省略している。
【００７２】
また、図５は、パネル１００のＸ領域だけを図示しているので、各データ電極１１０の幅や形状は、それぞれのデータ電極１１０が発光を制御する色によって異なるが、この色が同じであれば同一である。
【００７３】
図４にも示すとおり、図５に示す各データ電極１１０は、それぞれＬ領域、Ｍ領域、Ｎ領域に分けられる。実際には、図５の右下側に示すＬ領域の下に、再度Ｍ領域があり、その下に再度Ｎ領域が存在するが、これらについては紙面の都合、図示を省略している。
【００７４】
上記説明のとおり、Ｌ領域はデータ電極１１０の中央部に位置し、このＬ領域ではデータ電極１１０の幅は一定である。Ｍ領域はＬ領域の両端側に位置し、このＭ領域では、データ電極の幅は段階的に広くなる。Ｎ領域はＭ領域のさらに両端側に位置し、このＮ領域では、各データ電極の幅は再度一定となる。
【００７５】
例えば、それぞれのＮ領域の長さを３０ｍｍ±１０ｍｍ（両端側を合せると６０ｍｍ±２０ｍｍ）とし、それぞれのＭ領域の長さを２０ｍｍ±１０ｍｍ（両端側を合せると４０ｍｍ±２０ｍｍ）とし、Ｌ領域の長さをその残り、例えばパネル１００の表示サイズが５０インチであったならば、５２３ｍｍ±４０ｍｍとする。但し、本発明がこの範囲に限るものではない。
【００７６】
あるいはまた、例えば、それぞれのＮ領域の長さをデータ電極１１０の全長の５％±２％（両端側を合せると１０％±４％）とし、それぞれのＭ領域の長さをデータ電極１１０の全長の３％±２％（両端側を合せると６％±４％）とし、Ｌ領域の長さをその残りとする。但し、本発明がこの範囲に限るものではない。
【００７７】
上記のとおり、Ｌ領域ではそれぞれのデータ電極１１０の幅は一定であり、その値は、発光を制御する色が緑のデータ電極１２１と、発光を制御する色が青のデータ電極１２３とについては、１００μｍとする。一方、発光を制御する色が赤のデータ電極１２２については、９０μｍとする。このように、発光を制御する色が緑のデータ電極１２１と、発光を制御する色が青のデータ電極１２３とについては、同じとし、発光を制御する色が赤のデータ電極１２２についてはそれよりも狭く、８０〜９９％、あるいは、８８〜９２％とする。但し、本発明がこの範囲に限るものではない。
【００７８】
同様に、Ｎ領域でも、それぞれのデータ電極１１０の幅は一定であり、その値は、発光を制御する色が緑のデータ電極１２１と、発光を制御する色が青のデータ電極１２３とについては、１３０μｍとする。一方、発光を制御する色が赤のデータ電極１２２については、１００μｍとする。このように、発光を制御する色が緑のデータ電極１２１と、発光を制御する色が青のデータ電極１２３とについては、同じとし、発光を制御する色が赤のデータ電極１２２についてはそれよりも狭く、６５〜９９％、あるいは、６８〜８０％とする。但し、本発明がこの範囲に限るものではない。
【００７９】
上記のとおり、Ｍ領域では、これらの幅の異なるそれぞれのデータ電極１１０を結ぶように、データ電極１１０の中央部であるＬ領域から、両側部であるＮ領域に向かって、段階的に広くなる。
【００８０】
次に、データ電極１１０の幅について、より詳細に説明するため、パネル１００の左側の外側部（Ｚ領域からＹ領域を経てＸ領域に至る部分）の上端から下方向のＮ領域、Ｍ領域、Ｌ領域に含まれるデータ電極１１０の一部を拡大した図を、図６に示す。
【００８１】
図６は、パネル１００の左側の外側部だけを図示しているので、実際にはこの右側には、パネル１００の内側であるＸ領域からＹ領域を経て最も外側であるＺ領域に至る部分が存在する。しかしながら、これらについては、左側と同様であるから、図示と説明を省略する。
【００８２】
図６は、パネル１００の左外側部（Ｚ領域からＹ領域を経てＸ領域に至る部分）の上端から下方向のＮ領域、Ｍ領域、Ｌ領域を示しているので、図６の上部に示す右方向矢印の破線と図６の左部に示す下方向矢印の破線とがパネル１００の表示領域１００ａと非表示領域１００ｂとの境界である。この境界線よりも右下が、パネル１００の表示領域１００ａであり、この境界線よりも上と左とが、図示していないが、パネル１００の非表示領域１００ｂである。
【００８３】
非表示領域１００ｂにもデータ電極１１０は延長されているが、簡略化のため図示を省略している。
【００８４】
また、図４にも示すとおり、図６に示す各データ電極１１０は、それぞれＬ領域、Ｍ領域、Ｎ領域に分けられる。実際には、図６の右下側に示すＬ領域の下に、再度Ｍ領域があり、その下に再度Ｎ領域が存在するが、これらについては紙面の都合、図示を省略している。
【００８５】
図６の最も右側にはＸ領域を示す。上記説明のとおり、Ｘ領域では、データ電極１１０の幅は、発光を制御する色に対応してその幅と形状は異なっている。しかしながら、発光を制御する色が同じであれば、各データ電極１１０の幅と形状は一定である。図６のＸ領域には、発光を制御する色が青であるデータ電極１２３を１つ、発光を制御する色が赤であるデータ電極１２２を１つ、発光を制御する色が緑であるデータ電極１２１を１つ、だけ示している。Ｘ領域はさらにこの右側にも存在し、これらのデータ電極１１０と同じ幅で形状のデータ電極１１０が存在するが、これらについては図示を省略している。
【００８６】
図６の中程にはＹ領域を示す。Ｙ領域では、データ電極１１０の幅は、発光を制御する色に対応してその幅と形状は異なっており、さらに、パネル１００の中央部から外側部方向に向かって、段階的に広くなっている。即ち、Ｙ領域では、データ電極１１０の幅は、発光を制御する色に対応してその幅と形状は異なっていると同時に、Ｘ領域に近い方からＺ領域に近い方に向かって、即ち、図６でいうならば、右方向から左方向に向かって、段階的に広くなっている。
【００８７】
例えば、Ｙ領域の一番右側、即ち、Ｘ領域の隣に存在するデータ電極１１０は、発光を制御する色が緑であるデータ電極１３１であり、このデータ電極１３１の幅は、Ｘ領域に存在する発光を制御する色が緑であるデータ電極１２１と比較して、Ｌ領域で３μｍ広くなり、１０３μｍである。同様に、Ｎ領域ではＸ領域のデータ電極１２１と比較して変わらず１３０μｍであり、Ｍ領域では、１０３μｍから１３０μｍまで、段階的に広くなっている。
【００８８】
このデータ電極１３１の左隣には、発光を制御する色が赤であるデータ電極１３２が存在する。このデータ電極１３２は、Ｙ領域の一番右側に存在する発光を制御する色が赤であるデータ電極１３２である。このデータ電極１３２の幅は、Ｘ領域に存在する発光を制御する色が赤であるデータ電極１２２と比較して、Ｌ領域で１μｍ広くなり、９１μｍである。同様に、Ｎ領域ではＸ領域のデータ電極１２２と比較して変わらず１００μｍであり、Ｍ領域では、９１μｍから１００μｍまで、段階的に広くなっている。
【００８９】
同様に、このデータ電極１３２の左隣には、発光を制御する色が青であるデータ電極１３３が存在する。このデータ電極１３３は、Ｙ領域の一番右側に存在する発光を制御する色が青であるデータ電極１３３である。このデータ電極１３３の幅は、Ｘ領域に存在する発光を制御する色が青であるデータ電極１２３と比較して、Ｌ領域で３μｍ広くなり、１０３μｍである。同様に、Ｎ領域ではＸ領域のデータ電極１２３と比較して変わらず１３０μｍであり、Ｍ領域では、１０３μｍから１３０μｍまで、段階的に広くなっている。このデータ電極１３３の幅と形状は、Ｙ領域の一番右に存在する発光を制御する色が緑であるデータ電極１３１と同じである。
【００９０】
このようにして、Ｙ領域では、Ｘ領域からＺ領域の方向に向かって、それぞれのデータ電極の幅が、Ｌ領域において、発光を制御する色が緑であるデータ電極と発光を制御する色が青であるデータ電極とについては３μｍずつ増加し、発光を制御する色が赤であるデータ電極については１μｍずつ増加する。
【００９１】
Ｎ領域においては、Ｘ領域に存在するそれぞれ発光を制御する色が同じであるデータ電極の幅と変わらない。
【００９２】
Ｍ領域においては、Ｌ領域のデータ電極と、Ｎ領域のデータ電極とを接続するように、Ｌ領域からＮ領域に向かって、徐々に広くなる。
【００９３】
図６では、Ｙ領域に、発光を制御する色が緑であるデータ電極と発光を制御する色が赤であるデータ電極と発光を制御する色が青であるデータ電極とが、それぞれ９本ずつ存在すると仮定している。
【００９４】
従って、上記説明のように、Ｙ領域でＸ領域からＺ領域の方向に向かって、それぞれのデータ電極の幅が増加していくならば、Ｙ領域の一番左側に存在する発光を制御する色が緑であるデータ電極１３４の幅は、Ｘ領域に存在する発光を制御する色が緑であるデータ電極１２１と比較して、Ｌ領域で（３μｍ×９）広くなり、１２７μｍになる。同様に、Ｎ領域ではＸ領域のデータ電極１２１と比較して変わらず１３０μｍであり、Ｍ領域では、１２７μｍから１３０μｍまで、段階的に広くなっている。
【００９５】
このデータ電極１３４の左隣には、発光を制御する色が赤であるデータ電極１３５が存在する。このデータ電極１３５は、Ｙ領域の一番左側に存在する発光を制御する色が赤であるデータ電極１３５である。このデータ電極１３５の幅は、Ｘ領域に存在する発光を制御する色が赤であるデータ電極１２２と比較して、Ｌ領域で（１μｍ×９）広くなり、９９μｍである。同様に、Ｎ領域ではＸ領域のデータ電極１２２と比較して変わらず１００μｍであり、Ｍ領域では、９９μｍから１００μｍまで、段階的に広くなっている。
【００９６】
同様に、このデータ電極１３５の左隣には、発光を制御する色が青であるデータ電極１３６が存在する。このデータ電極１３６は、Ｙ領域の一番左側に存在する発光を制御する色が青であるデータ電極１３６である。このデータ電極１３６の幅は、Ｘ領域に存在する発光を制御する色が青であるデータ電極１２３と比較して、Ｌ領域で（３μｍ×９）広くなり、１２７μｍである。同様に、Ｎ領域ではＸ領域のデータ電極１２３と比較して変わらず１３０μｍであり、Ｍ領域では、１２７μｍから１３０μｍまで、段階的に広くなっている。
【００９７】
図６の最も左側にはＺ領域を示す。Ｚ領域では、データ電極１１０の幅は、発光を制御する色に対応してその幅と形状は異なっている。しかしながら、発光を制御する色が同じであれば、各データ電極１１０の幅と形状は、再度一定である。
【００９８】
図６のＺ領域には、発光を制御する色が緑であるデータ電極１３７を１つ、発光を制御する色が赤であるデータ電極１３８を１つ、発光を制御する色が青であるデータ電極１３９を１つ、だけ示している。Ｚ領域はさらにこの左側にもパネル１００の表示領域１００ａと非表示領域１００ｂとの境界まで存在し、これらのデータ電極１１０と同じ幅で形状のデータ電極１１０が存在するが、これらについては図示を省略している。
【００９９】
Ｚ領域の一番右側、即ち、Ｙ領域の隣に存在するデータ電極１１０は、発光を制御する色が緑であるデータ電極１３７であり、このデータ電極１３７の幅は、Ｙ領域の一番左側に存在する発光を制御する色が緑であるデータ電極１３４と比較して、Ｌ領域で３μｍ広くなり、１３０μｍである。同様に、Ｎ領域ではＸ領域のデータ電極１２１と比較して変わらず１３０μｍであり、Ｍ領域でも１３０μｍであって、Ｚ領域に存在する発光を制御する色が緑であるデータ電極１３７の幅は、Ｌ領域とＭ領域とＮ領域とで変わらず一定の１３０μｍである。
【０１００】
このデータ電極１３７の左隣には、発光を制御する色が赤であるデータ電極１３８が存在する。このデータ電極１３８の幅は、Ｙ領域の一番左側に存在する発光を制御する色が赤であるデータ電極１３５と比較して、Ｌ領域で１μｍ広くなり、１００μｍである。同様に、Ｎ領域ではＸ領域のデータ電極１２２と比較して変わらず１００μｍであり、Ｍ領域でも１００μｍであって、Ｚ領域に存在する発光を制御する色が赤であるデータ電極１３８の幅は、Ｌ領域とＭ領域とＮ領域とで変わらず一定の１００μｍである。
【０１０１】
同様に、このデータ電極１３８の左隣には、発光を制御する色が青であるデータ電極１３９が存在する。このデータ電極１３９の幅は、Ｙ領域の一番左側に存在する発光を制御する色が青であるデータ電極１３６と比較して、Ｌ領域で３μｍ広くなり、１３０μｍである。同様に、Ｎ領域ではＸ領域のデータ電極１２３と比較して変わらず１３０μｍであり、Ｍ領域でも１３０μｍであって、Ｚ領域に存在する発光を制御する色が青であるデータ電極１３９の幅は、Ｌ領域とＭ領域とＮ領域とで変わらず一定の１３０μｍである。
【０１０２】
なお、ここで説明したデータ電極１１０の数と幅とは、あくまでも１つの具体的な事例を説明するための一例に過ぎず、本発明がこれらに限定されるものではない。
【０１０３】
以上説明したようにパネル１００に含まれるデータ電極１１０を構成することによって、パネル１００の中央部ではデータ電極の幅を狭く、パネル１００の外側部に向かうに従って、データ電極の幅が広くなるように構成することができる。
【０１０４】
また、同時に、パネル１００の全体にわたって、発光を制御する色が赤であるデータ電極の幅を、発光を制御する色が緑であるデータ電極の幅や発光を制御する色が青であるデータ電極の幅と比較して狭く、構成することができる。
【０１０５】
次に、上記説明のように、発光を制御する色が赤であるデータ電極の幅を、発光を制御する色が緑であるデータ電極の幅や発光を制御する色が青であるデータ電極の幅と比較して狭く構成することによって、得ることのできる効果を説明する。
【０１０６】
図７には、発光を制御する色（赤と緑と青）ごとに、書き込み時間と書き込みのために必要な最低電圧（Ｖｅｐｄ）との関係を表すグラフを示す。
【０１０７】
この書き込み時間と書き込みのために必要な最低電圧（Ｖｅｐｄ）とは、図３に示す、それぞれのサブフィールドにおける書き込みのための時間と、書き込みを実行するためのデータ電極１１０駆動電圧Ｖｄとして最低限必要な電圧の相対値である。
【０１０８】
図３では詳細に示していないが、図７に示すとおり、この書き込みのために必要な最低電圧（Ｖｅｐｄ）は、書き込み時間によって変わるとともに、発光を制御する色（赤と緑と青）によっても変化する。
【０１０９】
図７に示すように、書き込み時間を長くすると、書き込みのために必要な最低電圧（Ｖｅｐｄ）は低くてもよい。消費電力だけを考えるなら、書き込みのために必要な最低電圧（Ｖｅｐｄ）は低い方が望ましいが、表示サイクルとの関係で、書き込み時間を一定以上長く設定することはできない。また、図７に示すとおり、書き込み時間を２．０以上に設定しても、書き込みのために必要な最低電圧（Ｖｅｐｄ）はそれほど低くはならない。
【０１１０】
そこで、仮に書き込み時間を２．０に設定すると、発光を制御する色が赤であるデータ電極１１０だけ、書き込み電圧Ｖｄを高く設定しなければならないことになる。
【０１１１】
しかしながら、このように、発光を制御する色が赤であるデータ電極１１０だけ書き込み電圧Ｖｄを高く設定することは、消費電力を増大すると同時に、制御回路を複雑にすることになる。
【０１１２】
一方、図８には、データ電極１１０の電極幅と書き込みのために必要な最低電圧（Ｖｅｐｄ）との関係を表すグラフを示す。図８には、発光を制御する色が赤であるデータ電極１１０の電極幅と書き込みのために必要な最低電圧（Ｖｅｐｄ）との関係を示している。
【０１１３】
図８に示すとおり、データ電極１１０の電極幅が広いと、書き込みのために必要な最低電圧（Ｖｅｐｄ）は高くなり、データ電極１１０の電極幅を狭くすることで、書き込みのために必要な最低電圧（Ｖｅｐｄ）を低く設定できることが分る。
【０１１４】
そこで、発光を制御する色が赤であるデータ電極１１０の電極幅を、発光を制御する色が青であるデータ電極１１０の電極幅や発光を制御する色が緑であるデータ電極１１０の電極幅と比較して狭く設定することによって、発光を制御する色が赤であるデータ電極１１０における書き込み電圧Ｖｄを、発光を制御する色が青であるデータ電極１１０や発光を制御する色が緑であるデータ電極１１０における書き込み電圧Ｖｄと、同一レベルにすることができる。
【０１１５】
次に、上記説明のように、データ電極の幅を、パネル１００の中央部においては狭く、外側部においては広く構成することによって、得ることのできる効果を説明する。
【０１１６】
パネル１００では、その外側部において、書き込み放電が不安定化することが分っている。
【０１１７】
その第１の要因として、隔壁１１１とデータ電極１１０との相対的な位置ずれが考えられる。パネル１００が大型化かつ高精細度化するのに従って、パネル１００の全面にわたって精度良く放電セルを作成することが困難になる。
【０１１８】
特にパネル１００の周辺部になると、製造に使用するマスクや基板の伸び縮みにともなう誤差や位置合わせにともなう誤差等、製造時の誤差が積算されるので、パネル１００の周辺部における放電セルの精度が低下する。データ電極１１０の幅が狭い場合、隔壁１１１とデータ電極１１０との相対的な位置がずれると、データ電極１１０に印加された電圧が放電空間１１４の内部に十分に伝わらなくなり、書き込み放電が発生し難くなる可能性が考えられる。
【０１１９】
そこで、データ電極１１０の幅を十分広く設計することによって、隔壁１１１とデータ電極１１０との相対的な位置がずれたとしても、データ電極１１０に印加された電圧を放電空間１１４の内部に確実に伝えることができ、安定的に書き込み放電が発生する。
【０１２０】
第２の要因として、データ電極１１０上の壁電圧の低下が考えられる。
【０１２１】
パネル１００の周辺部では、隔壁１１１の高さのばらつきや下地誘電体層１０９の厚みや、むら等によって、放電セル１１５間に隙間が発生する可能性が高くなる。
【０１２２】
初期化期間において、書き込み動作に適した壁電圧がデータ電極１１０上に蓄積されるが、放電セル１１５間に隙間があると、隣接する放電セル１１５から荷電粒子が飛来してデータ電極１１０上の壁電荷を中和し、壁電圧を低下させ、書き込み放電時に放電セル１１５に印加される電圧が不足し、書き込み放電が不安定になる可能性がある。
【０１２３】
そこで、データ電極１１０の幅を十分広く設計すると、データ電極容量が増加し、壁電圧を変化させるにはより多くの電荷が必要となる。即ち、データ電極１１０の幅を十分広く設計することで、荷電粒子が飛来してデータ電極１１０上の壁電荷を中和したとしても、壁電圧の低下を小さく抑えることができる。従って、書き込み放電時に放電セル１１５に印加される電圧が不足することがなく、書き込み放電が安定化する。
【０１２４】
このように、データ電極１１０の幅を設定・配置することによって、表示画面全体にわたって安定した書き込み放電が可能となる。
【０１２５】
また、パネル１００の中央部から周辺部に行くに従って、電極幅が連続的に広くなるように設定することによって、放電セルの放電特性も連続的に変化し、輝度の不連続等によって表示品質が低下することもない。
【０１２６】
図９に、データ電極幅と、書き込みマージンおよびデータ電極を駆動するための電力（以下、「データ電力」という）との関係を表す図を示す。
【０１２７】
書き込みマージンとは、書き込み放電の安定性の指標として測定したものであり、データ電極幅が１００μｍの時の安定した書き込み動作に必要な書き込み電圧を基準とし、データ電極幅を変更した時の、安定的な書き込みを行うために必要な相対電圧をいう。
【０１２８】
図９から分るとおり、データ電極幅を広げることによって書き込みマージンが増大することが実験的に確認できるが、データ電極幅を広くすることによって電極容量も増加し、これにともなってデータ電力も増加してしまう。
【０１２９】
一方、上記のとおり、書き込み放電が不安定になる放電セル１１５はパネル１００の周辺部に偏在することが分っている。従って、パネル１００の全面にわたってデータ電極１１０の幅を広げる必要はなく、パネル１００の周辺部ではデータ電極１１０の幅を広くし、パネル１００の中央部ではデータ電極１１０の幅を狭く設定することで、書き込み放電を安定させると同時に、データ電力の増加も抑制することができる。
【０１３０】
データ電極１１０の幅を広くする領域を、上記実施の形態に示すように設定することによって、データ電力の増加は１〜５％に抑えることができる。
【産業上の利用可能性】
【０１３１】
本発明によれば、大型でかつ高精細なパネルであり、さらに、消費電力の増大を抑えながら、表示画面全面にわたって安定した書き込み放電が可能なパネルを提供することが可能となり、その産業上の利用可能性は極めて大きい。
【図面の簡単な説明】
【０１３２】
【図１】本発明の第１の実施の形態におけるパネルの構造を示す分解斜視図
【図２】本発明の第１の実施の形態におけるパネルの電極配列図
【図３】パネルの各電極に印加する駆動電圧の波形図
【図４】パネルを構成するデータ電極の配置を表す概略図
【図５】パネルの内側部に含まれるデータ電極の一部を拡大した図
【図６】パネルの外側部に含まれるデータ電極の一部を拡大した図
【図７】発光を制御する色ごとに書き込み時間と最低電圧との関係を表す図
【図８】データ電極の電極幅と書き込み最低電圧との関係を表す図
【図９】データ電極幅と書き込みマージンおよびデータ電力との関係を表す図
【符号の説明】
【０１３３】
１００    パネル
１０１    前面板
１０２    走査電極
１０３    維持電極
１０４    背面板
１０５    前面ガラス基板
１０６    誘電体層
１０７    保護層
１０８    背面ガラス基板
１０９    下地誘電体層
１１０    データ電極
１１１    隔壁
１１２    蛍光体層
１１４    放電空間
１１５    放電セル
１２１，１３１，１３４，１３７    （発光を制御する色が緑である）データ電極
１２２，１３２，１３５，１３８    （発光を制御する色が赤である）データ電極
１２３，１３３，１３６，１３９    （発光を制御する色が青である）データ電極
【図１】
2007165123.tif 000003
【図２】
2007165123.tif 000004
【図３】
2007165123.tif 000005
【図４】
2007165123.tif 000006
【図５】
2007165123.tif 000007
【図６】
2007165123.tif 000008
【図７】
2007165123.tif 000009
【図８】
2007165123.tif 000010
【図９】
2007165123.tif 000011